(57)【要約】【課題】口腔内においてキーパを歯根に配設する際に、キーパのハンドリングが容易となる構造を有する義歯アタッチメント用キーパを提供すること。【解決手段】口腔内において歯根に塗布した接着剤により歯根に固定される義歯アタッチメント用のキーパ１である。キーパ１は、板状を呈する軟磁性体よりなると共に、磁石構造体の吸着面と当接する被吸着面１１を表側面に設けたキーパ本体部１０と、キーパ本体部１０の側面１２又は裏側面から側面外方に延設されたホルダー部２とを有する。ホルダー部２は、キーパ１を歯根の接着位置に配置する際に直接又は間接に把持可能に構成されている。ホルダー部２は、キーパ本体部１０の被吸着面１１の位置から軸方向に後退した後退部２５を有しており、接着剤によってキーパ本体部１０の被吸着面１１のみを露出させて埋設した際に後退部２５の全周が埋設されるように構成されていることが好ましい。【選択図】図１
0003104324.tif 000002
【実用新案登録請求の範囲】
【請求項１】
口腔内において歯根に塗布した接着剤により上記歯根に固定される義歯アタッチメント用のキーパであって、
該キーパは、板状を呈する軟磁性体よりなると共に、磁石構造体の吸着面と当接する被吸着面を表側面に設けたキーパ本体部と、
該キーパ本体部の側面又は裏側面から側面外方に延設されたホルダー部とを有し、
該ホルダー部は、上記キーパを上記歯根の接着位置に配置する際に直接又は間接に把持可能に構成されていることを特徴とする義歯アタッチメント用キーパ。
【請求項２】
請求項１において、上記ホルダー部は、少なくともその一部に、上記キーパ本体部の上記被吸着面の位置から軸方向に後退した後退部を有しており、上記接着剤によって上記キーパ本体部の上記被吸着面のみを露出させて埋設した際に上記後退部の全周が埋設されるように構成されていることを特徴とする義歯アタッチメント用キーパ。
【請求項３】
請求項１又は２において、上記キーパ本体部の裏側面には、上記歯根に設けられた竪穴である根管に挿入されるポスト部を設けてあることを特徴とする義歯アタッチメント用キーパ。
【考案の詳細な説明】
【技術分野】
【０００１】
本考案は、義歯に配設された磁石構造体を吸着させる義歯アタッチメント用のキーパに関する。
【背景技術】
【０００２】
歯科治療においては、義歯の着脱が容易であるという観点から、例えば特許文献１に開示されているように、磁気吸引力を利用する義歯アタッチメントが種々提案されている。
義歯アタッチメントは、義歯側に内蔵される磁石構造体と、歯根側に配設される軟磁性材料よりなるキーパとにより構成される。
【０００３】
キーパを歯根に配設するに当たっては、従来より、予め歯根の形状の精密な型取りを行っておき、この歯根の形状に適合するよう予めキーパを配設してなる金属製の根面板と呼ばれる部品を、治療を受けようとする者の口腔内ではなく、外部で予め形成する。そして、歯科医院においては、キーパを予め配設しておいた根面板を、歯科医が歯科用セメント等を用いて歯根に接着していた。
【０００４】
しかしながら、最近においては、上記のような精密な型取りを行わず、また、根面板を用いることなく直接キーパを歯根に接着する方法の開発が進められている。
例えば、図８に示すごとく、従来のキーパ９としては、円盤状を呈する軟磁性体よりなるキーパ本体部９１と、その裏側面に配設された棒状のポスト部９２を有しているものを用いる。そして、図９に示すごとく、接着剤７を歯根８に塗布しておく。
【０００５】
次に、磁石９９０を内蔵した頭部９９１を取手部９９２に接合してなるキャリアー９９を用い、その頭部９９１にキーパ本体部９１を吸着させてキーパ９をハンドリングする。すなわち、キャリアー９９を動かして、キーパ本体部９１が歯根８の天面部に位置するようにキーパ９を配置する。そして、キーパ９の被吸着面９５のみを接着剤７から露出させた状態でそれ以外の部分を接着剤７中に埋没させる。その後、接着剤７の硬化により、キーパ９の配設が完了する。
【０００６】
ところで、上記のキーパ９をハンドリングする際には、上記のごとく、磁石９９０を内蔵した大型の頭部９９１を有するキャリアー９９によりキーパ９を吸着させて行う。このとき、上記の頭部９９１の存在によって、キーパ９を配設すべき正確な位置を歯科医師が確認するのが困難となる。そのため、上記キャリアー９９を用いることなくキーパ９をハンドリングできる技術の開発が望まれていた。
【０００７】
一方、これまでと同様の型取りを行った後、キーパの周囲等に予め樹脂を配置して所望形状に整形しておき、これを口腔内に配置する工法も開発されつつある。この場合においても、樹脂を伴った上記キーパをハンドリングする際には、上記と同様の問題がある。
【０００８】
【特許文献１】特開平１０−１２７６６４号公報
【考案の開示】
【考案が解決しようとする課題】
【０００９】
本考案は、かかる従来の問題に鑑みてなされたものであって、口腔内においてキーパを歯根に配設する際に、キーパのハンドリングが容易となる構造を有する義歯アタッチメント用キーパを提供しようとするものである。
【課題を解決するための手段】
【００１０】
本考案は、口腔内において歯根に塗布した接着剤により上記歯根に固定される義歯アタッチメント用のキーパであって、
該キーパは、板状を呈する軟磁性体よりなると共に、磁石構造体の吸着面と当接する被吸着面を表側面に設けたキーパ本体部と、
該キーパ本体部の側面又は裏側面から側面外方に延設されたホルダー部とを有し、
該ホルダー部は、上記キーパを上記歯根の接着位置に配置する際に直接又は間接に把持可能に構成されていることを特徴とする義歯アタッチメント用キーパにある（請求項１）。
【００１１】
本考案の義歯アタッチメント用のキーパは、上記のごとく、そのキーパ本体部に上記ホルダー部が設けられている。そのため、歯科医師が、このキーパを口腔内において歯根の接着位置に配置する際には、上記ホルダー部を直接手により、又はピンセット等の道具を用いて間接的に把持することにより、キーパ全体を取り回しすることができる。それ故、口腔内においてキーパの載置作業をする際にも、視界が確保しやすく、正確で迅速な作業を行うことができる。
なお、上記ホルダー部は、キーパを所望部分へ配置した後に、口腔内において切断することによって取り除くことができる。
【考案を実施するための最良の形態】
【００１２】
本考案の義歯アタッチメント用のキーパを構成するキーパ本体部は、上記のごとく軟磁性材料よりなる。具体的な材料としては、例えば、Ｆｅ−１９Ｃｒ−２Ｍｏ−０．２Ｔｉ軟磁性ステンレス鋼、その他の様々な材料を適用可能である。
また、上記ホルダー部は、軟磁性材料である必要はなく、非磁性材料でもよい。ただし、耐食性に優れるものが好ましく、具体的には、例えばＳＵＳ３１６Ｌ等の材料を適用可能である。
また、上記ホルダー部の形状は、棒状、板状、その他の様々な形状を採用しうる。また、ホルダー部は、少なくとも一部がキーパ本体部の側面外方に伸びるように設けるが、直線状であるか、曲線状であるかは特に問わない。また、ホルダー部の数は、１つでもいいし、複数設けてもよい。
また、上記ホルダー部と上記キーパ本体部とは、溶接により接合することが好ましい。
【００１３】
また、上記ホルダー部は、少なくともその一部に、上記キーパ本体部の上記被吸着面の位置から軸方向に後退した後退部を有しており、上記接着剤によって上記キーパ本体部の上記被吸着面のみを露出させて埋設した際に上記後退部の全周が埋設されるように構成されていることが好ましい（請求項２）。この場合には、上記キーパを配設した後、上記ホルダー部における上記後退部が、接着剤中に埋まって所謂アンカー効果あるいはアンダーカットの効果を発揮する。そのため、キーパの歯根からの脱落防止効果を高めることができる。
【００１４】
また、上記キーパ本体部の裏側面には、上記歯根に設けられた竪穴である根管に挿入されるポスト部を設けてあることが好ましい（請求項３）。この場合には、ポスト部を上記根管に挿入した状態で固定することができるので、より安定したキーパの固定構造を得ることができる。
また、上記ポスト部としては、上記キーパ本体部に接合した部分よりも大径の部分を設けてあることが好ましい。これにより、ポスト部によってアンダーカット効果が生まれ、より強固な固定構造が得られる。
なお、上記ポスト部としては、軟磁性材料である必要はなく、非磁性材料を適用可能である。具体的には、例えばＳＵＳ３１６Ｌ等の材料を用いることができる。この場合には、上記ポスト部とキーパ本体部とは、溶接により接合することが好ましい。また、上記ポスト部は、キーパ本体部と同一の材料でもよい。この場合には、キーパ本体部とポスト部とを、１つの塊から切削加工によって一体加工することもできる。
【実施例】
【００１５】
（実施例１）
本考案の実施例に係る義歯アタッチメント用のキーパにつき、図１〜図４を用いて説明する。
本例のキーパ１は、図３、図４に示すごとく、口腔内において歯根８に塗布した接着剤７により歯根８に固定される義歯アタッチメント用のキーパである。
図１、図２に示すごとく、キーパ１は、板状を呈する軟磁性体よりなると共に、磁石構造体の吸着面と当接する被吸着面１１を表側面に設けたキーパ本体部１０と、キーパ本体部１０の側面１２から側面外方に延設されたホルダー部２とを有する。このホルダー部２は、キーパ１を歯根８の接着位置に配置する際に直接又は間接に把持可能に構成されている。
以下、さらに詳説する。
【００１６】
図１、図２に示すごとく、キーパ本体部１０は、Ｆｅ−１９Ｃｒ−２Ｍｏ−０．２Ｔｉ軟磁性ステンレス鋼よりなる円盤状の部材である。その側面１２には、２本の直線状の棒状体よりなるホルダー部が径方向外方に向かって溶接固定されている。このホルダー部２は、材質ＳＵＳ３１６Ｌにより構成した。
【００１７】
また、図１、図４に示すごとく、ホルダー部２は、キーパ本体部１０の被吸着面１１の位置から軸方向に後退した後退部２５を有しており、接着剤７によってキーパ本体部１０の被吸着面１１のみを露出させて埋設した際に後退部２５の全周が埋設されるように構成されている。
【００１８】
また、図１に示すごとく、キーパ本体部１０の裏側面１９には、歯根８に設けられた竪穴である根管８５に挿入されるポスト部３を設けてある。ポスト部３は、同図に示すごとく、基端部３０と、該基端部３０の先端よりも大径の大径部３１と、大径部３１から凹凸をつけつつ徐々に縮径しながら伸ばされた凹凸部３２とを有している。キーパ本体部１０とポスト部３とは、１つの塊から切削加工により一体加工してある。なお、基端部３０と大径部３１との間において溶接接合した構造にしてもよい。そして、ポスト部３のうち、基端部３０はキーパ本体部１０と同じ材質とし、大径部３１及び凹凸部３２はキーパ本体部１０と異なるＳＵＳ３１６Ｌ（オーステナイト系ステンレス鋼）とすることができる。
【００１９】
このような構造のキーパ１は、図３に示すごとく、いずれか一方のホルダー部２の歯科医師が直接又は間接に把持した状態で取り回し（ハンドリング）することができる。そのため、従来のようなキャリアーを用いることなく、視界を十分に確保して精度よくキーパ１を配置することができる。
【００２０】
キーパ１を所望の位置に配置した後には、ホルダー部２の余分な部分を口腔内で切断する。このとき、本例のホルダー部２は、上記のごとくキーパ本体部１０の被吸着面１１の位置から軸方向に後退した後退部２５を有しているので、これが接着剤７中に埋設されたままとなる。そのため、残った後退部２５がアンカー効果、あるいはアンダーカットの効果を発揮して、キーパ１の歯根８からの脱落を防止することができる。
また、本例のキーパ１は、上記ポスト部３も備えているので、より強固な固定構造を得ることができる。
【００２１】
（実施例２）
本例のキーパ１０２は、図５に示すごとく、実施例１におけるキーパ１からポスト部３を取り除いた構造を有するキーパである。その他の構造は実施例１と同様である。
この場合にも、実施例１の場合と同様に、歯科医師が、ホルダー部２を直接又は間接に把持することにより、口腔内でも視界を確保しながら容易に取り回しすることができる。そのため、従来よりも、精度よく、かつ迅速な作業を実現することができる。
【００２２】
（実施例３）
本例のキーパ１０３は、図６に示すごとく、実施例１における２本のホルダー部２を一本の長いホルダー部２２に減らしたキーパである。その他の構造は実施例１と同様である。
この場合にも、実施例１の場合とほぼ同様の作用効果が得られる。
【００２３】
（実施例４）
本例のキーパ１０４は、図７に示すごとく、これをＣ字状に曲げたホルダー部２３を１本のみ設けた構造を有するものである。その他の構造は実施例１と同様である。
この場合には、同図に示すごとく、歯根８の斜め上方に上記ホルダー部２３を位置させることができ、口腔内の歯根の場所によっては、実施例１の場合よりもさらに取り回しを容易にすることができる。その他は実施例１と同様の作用効果が得られる。
【００２４】
上述した実施例１〜実施例４は、ポスト部の有無は別として、いずれもキーパ本体部にホルダー部を設けてなるキーパに関するものである。これに対し、キーパ本体部の周囲に所望形状の樹脂成形部分、あるいは、キーパ本体部の裏側面に所望形状の棒状の樹脂成形部分を設けることもでき、この場合にも、必ず上記と同様のホルダー部を形成しておくことによって、実施例１〜４と同様の作用効果を得ることができる。
【図面の簡単な説明】
【００２５】
【図１】実施例１における、義歯アタッチメント用キーパの正面図。
【図２】実施例１における、義歯アタッチメント用キーパの平面図。
【図３】実施例１における、義歯アタッチメント用キーパを歯根の接着位置に配設している状態を示す説明図。
【図４】実施例１における、義歯アタッチメント用キーパの配設が完了した状態を示す説明図。
【図５】実施例２における、義歯アタッチメント用キーパの正面図。
【図６】実施例３における、義歯アタッチメント用キーパの正面図。
【図７】実施例４における、義歯アタッチメント用キーパを歯根の接着位置に配設している状態を示す説明図。
【図８】従来例における、義歯アタッチメント用キーパの正面図。
【図９】従来例における、義歯アタッチメント用キーパを歯根の接着位置に配設している状態を示す説明図。
【図１０】従来例における、義歯アタッチメント用キーパの配設が完了した状態を示す説明図。
【符号の説明】
【００２６】
１、１０２〜１０４  義歯アタッチメント用のキーパ
２、２２、２３  ホルダー部
２５  後退部
３  ポスト部
【図１】
0003104324.tif 000003
【図２】
0003104324.tif 000004
【図３】
0003104324.tif 000005
【図４】
0003104324.tif 000006
【図５】
0003104324.tif 000007
【図６】
0003104324.tif 000008
【図７】
0003104324.tif 000009
【図８】
0003104324.tif 000010
【図９】
0003104324.tif 000011
【図１０】
0003104324.tif 000012